(57)【特許請求の範囲】
【請求項１】
画像原稿を読取る読取手段と前記読取手段によって読取られた画像の画像データに基づいて記録媒体に記録を行う記録手段とを備え、前記画像の複写を行うことが可能な画像記録装置であって、
少なくとも画質を優先させる複写モードと速度を優先させる複写モードとを含む複写モードと拡大率を入力する入力手段と、
前記画像データを変倍する性能の異なる複数の変倍手段であって、少なくとも画質性能に優れた変倍手段と、処理速度性能に優れた変倍手段とを含む複数の変倍手段と、
前記入力手段により入力された複写モードと拡大率とに従って、前記複数の変倍手段への拡大率の割り振りを決定する決定手段と、
前記決定手段によって決定された割り振りに従って、前記複数の変倍手段に順次、変倍処理を行わせることにより、前記入力手段によって入力された拡大率に応じた変倍処理が施された画像データに基づいて前記記録手段に記録を行わせることにより前記画像の複写を行うよう制御する複写制御手段とを有し、
前記決定手段は、前記入力手段により入力された複写モードが画質を優先させる複写モードであった場合、前記入力手段により入力された拡大率を、前記複数の変倍手段のうち画質性能に優れた変倍手段に優先的に割り振るよう決定し、前記入力手段により入力された複写モードが速度を優先させる複写モードであった場合、前記入力手段により入力された拡大率を、前記複数の変倍手段のうち処理速度性能に優れた変倍手段に優先的に割り振るよう決定することを特徴とする画像記録装置。
【請求項２】
前記入力手段により入力された拡大率が等倍である場合は、前記複数の変倍手段全てによる変倍処理をスキップするよう制御する変倍制御手段をさらに有することを特徴とする請求項１に記載の画像記録装置。
【請求項３】
前記複写モードは、縁なしコピーとメモリコピーとを含むことを特徴とする請求項１又は２に記載の画像記録装置。
【請求項４】
前記決定手段は、前記拡大率が前記複数の変倍手段が変倍処理可能な変倍率の上限値を超える場合には、残りの拡大率を他の変倍手段に割り振ることを特徴とする請求項１乃至３のいずれか１項に記載の画像記録装置。
【請求項５】
前記決定手段は、前記複写モードとして縁なしコピーが入力された場合には、前記複数の変倍手段の内、処理速度性能に優れた変倍手段を優先使用するように前記入力手段により入力された拡大率を割り振ることを特徴とする請求項１乃至４のいずれか１項に記載の画像記録装置。
【請求項６】
前記縁なしコピーにおいて優先使用される変倍手段には、相対的に低い値の変倍率上限値が設定されることを特徴とする請求項５に記載の画像記録装置。
【請求項７】
前記決定手段は、前記拡大率が前記優先使用するように割当てられた変倍手段が変倍処理可能な変倍率の上限値を超え、前記優先使用するように割当てられた変倍手段による変倍処理によって前記拡大率の拡大を達成できない場合には、残りの拡大率をより画質性能に優れた他の変倍手段に割り振ることを特徴とする請求項６に記載の画像記録装置。
【請求項８】
前記読取手段によって読取られた画像の画像データを格納する記憶手段と、
前記画像データを前記記憶手段に格納する前に符号化を施して圧縮する符号化手段と、
前記記憶手段に格納された圧縮画像データを読み出して伸長する復号化手段とをさらに有することを特徴とする請求項１乃至７のいずれか１項に記載の画像記録装置。
【請求項９】
前記決定手段は、前記複写モードとしてメモリコピーが入力された場合には、前記複数の変倍手段の内、画質性能に優れた変倍手段を優先使用するように前記入力手段により入力された拡大率を割り振り、
前記符号化手段は、前記優先使用するように割当てられた変倍手段による変倍処理が施された画像データに対して符号化を行うことを特徴とする請求項８に記載の画像記録装置。
【請求項１０】
前記決定手段は、前記拡大率が前記優先使用するように割当てられた変倍手段が変倍処理可能な変倍率の上限値を超え、前記優先使用するように割当てられた変倍手段による変倍処理によって前記拡大率の拡大を達成できない場合には、残りの拡大率をより低い優先度の変倍手段に割り振り、該割り振られた変倍手段が前記復号化手段により復号化された画像データを変倍することを特徴とする請求項９に記載の画像記録装置。
【請求項１１】
前記記録手段はインクジェット記録ヘッドにより前記記録媒体に記録を行うことを特徴とする請求項１乃至１０のいずれか１項に記載の画像記録装置。
【請求項１２】
画像原稿を読取る読取手段と前記読取手段によって読取られた画像の画像データに基づいて記録媒体に記録を行う記録手段と前記画像データを変倍する性能の異なる複数の変倍手段であって、少なくとも画質性能に優れた変倍手段と、処理速度性能に優れた変倍手段とを含む複数の変倍手段とを備え、前記画像の複写を行うことが可能な画像記録装置の制御方法であって、
少なくとも画質を優先させる複写モードと速度を優先させる複写モードとを含む複写モードと拡大率を入力する入力工程と、
前記入力された複写モードと拡大率とに従って、前記複数の変倍手段への拡大率の割り振りを決定する決定工程と、
前記決定工程において決定された割り振りに従って、前記複数の変倍手段に順次、変倍処理を行わせることにより、前記入力された拡大率に応じた変倍処理が施された画像データに基づいて前記記録手段に記録を行わせることにより前記画像の複写を行うよう制御する複写制御工程とを有し、
前記決定工程は、前記入力された複写モードが画質を優先させる複写モードであった場合、前記入力された拡大率を、前記複数の変倍手段のうち画質性能に優れた変倍手段に優先的に割り振るよう決定し、前記入力された複写モードが速度を優先させる複写モードであった場合、前記入力された拡大率を、前記複数の変倍手段のうち処理速度性能に優れた変倍手段に優先的に割り振るよう決定することを特徴とする画像記録装置の制御方法。
【請求項１３】
請求項１２に記載の画像記録装置の制御方法を、コンピュータにより実行させるためのプログラム。
【発明の詳細な説明】
【技術分野】
【０００１】
本発明は画像記録装置及びその装置の制御方法及びプログラムに関し、特に、画像原稿を読み込み、例えば、インクジェット方式に従って記録を行なう記録ヘッドを用いて画像を記録する画像記録装置及びその装置に適用される制御方法及びプログラムに関する。
【背景技術】
【０００２】
近年、印刷機能だけを備えた所謂シングルファンクションプリンタ（ＳＦＰ：Single Fucntion Printer）に代わり、印刷機能の他に画像の読み取り機能も備えた、所謂マルチファンクションプリンタ（ＭＦＰ：Multi-Function Printer）が普及し始めている。
【０００３】
マルチファンクションプリンタは、シングルファンクションプリンタが有する、パーソナルコンピュータ（以下、パソコン）などのホスト装置などが生成する記録データを記録する「記録（プリント）機能」の他に次のような機能を有している。即ち、メモリカード等に格納された画像データをパソコンなどのホスト装置などを介さずに記録する「ダイレクト記録（ダイレクトプリント）機能」がある。さらに、読み取った原稿から生成された画像データをパソコンなどに供給する「画像供給（スキャン）機能」や、読取画像をパソコンなどのホスト装置などを介さずに複写する「複写（コピー）機能」などもある。
【０００４】
そのような機能の中でもコピー機能は、シングルファンクションプリンタやスキャナなどの単機能装置では実現することのできない、マルチファンクションプリンタ特有の機能である。そして、そのコピー機能には、ユーザのニーズに合わせて様々なコピーモードが存在する。
【０００５】
例えば、原稿を等倍（拡大率１００％）で記録用紙にコピーする「等倍コピー」モードや特定サイズの原稿（例えば、Ａ４原稿）を特定サイズの記録用紙（例えば、Ｂ５用紙）にコピーする「定型変倍コピー」モードがある。加えて、原稿を記録用紙に縁無しでコピーする「縁なしコピー」モードなどがある。
【０００６】
さらに、フィルム読取機能を備えたマルチファンクションプリンタには、フィルムなどの透過原稿から読み取った画像を記録用紙にコピーする「フィルムコピー」モードが備えられている。
【０００７】
これら様々なコピーに対応するために、マルチファンクションプリンタは任意の倍率に変倍する変倍機能を備える必要があり、通常複数の変倍処理部を用いて変倍処理を行っている。このような複数の変倍処理部を制御する方法として、例えば、特許文献１に開示された方法などが提案されている。
【特許文献１】特開平５−１２２５０６号公報
【発明の開示】
【発明が解決しようとする課題】
【０００８】
特許文献１で提案された方法によれば、コピー原稿の送信側と受信側夫々に変倍処理部を備えるシステムにおいて、拡大処理が必要な場合はその受信側で拡大処理を行い、縮小処理が必要な場合はその送信側で縮小処理を行うようにしている。これにより、送信側と受信側の間でのデータ転送量を削減し、転送時間やトータルな処理時間の短縮を図っている。
【０００９】
しかしながら上記従来例では、送信側と受信側が有する変倍処理部の処理性能が異なる場合、処理条件によっては処理速度が低下してしまうという問題がある。また、送信側と受信側が有する変倍処理部によって得られる画質が異なる場合、処理条件によっては得られたコピー画像の画質が劣化してしまうという問題も生じている。
【００１０】
さらに、送信側と受信側が有する変倍処理部夫々において処理可能な変倍率が規定されている場合、処理条件によっては変倍処理そのものができないという問題もある。
【００１１】
本発明は上記従来例に鑑みてなされたもので、入力指示されたモードに最適の変倍処理を行ってコピーが可能な画像記録装置及びその装置の制御方法及びプログラムを提供することを目的としている。
【課題を解決するための手段】
【００１２】
上記目的を達成するため本発明の画像記録装置は以下の構成からなる。
【００１３】
即ち、画像原稿を読取る読取手段と前記読取手段によって読取られた画像の画像データに基づいて記録媒体に記録を行う記録手段とを備え、前記画像の複写を行うことが可能な画像記録装置であって、少なくとも画質を優先させる複写モードと速度を優先させる複写モードとを含む複写モードと拡大率を入力する入力手段と、前記画像データを変倍する性能の異なる複数の変倍手段であって、少なくとも画質性能に優れた変倍手段と、処理速度性能に優れた変倍手段とを含む複数の変倍手段と、前記入力手段により入力された複写モードと拡大率とに従って、前記複数の変倍手段への拡大率の割り振りを決定する決定手段と、前記決定手段によって決定された割り振りに従って、前記複数の変倍手段に順次、変倍処理を行わせることにより、前記入力手段によって入力された拡大率に応じた変倍処理が施された画像データに基づいて前記記録手段に記録を行わせることにより前記画像の複写を行うよう制御する複写制御手段とを有し、前記決定手段は、前記入力手段により入力された複写モードが画質を優先させる複写モードであった場合、前記入力手段により入力された拡大率を、前記複数の変倍手段のうち画質性能に優れた変倍手段に優先的に割り振るよう決定し、前記入力手段により入力された複写モードが速度を優先させる複写モードであった場合、前記入力手段により入力された拡大率を、前記複数の変倍手段のうち処理速度性能に優れた変倍手段に優先的に割り振るよう決定することを特徴とすることを特徴とする。
【００１４】
さらに、前記入力手段による入力された拡大率が等倍である場合は、前記複数の変倍手段全てによる変倍処理をスキップするよう制御する変倍制御手段を有することが望ましい。
【００１５】
ここで、前記複写モードには縁なしコピーとメモリコピーとが含まれる。
【００１９】
前記決定手段は、前記拡大率が複数の変倍手段が変倍処理可能な変倍率の上限値を超えた場合には、残りの拡大率を他の変倍手段に割り振る。
【００２０】
複写モードが縁なしコピーである場合には、前記複数の変倍手段の内、処理速度性能に優れた変倍手段を優先使用するように前記入力された拡大率を割り振る。ただし、縁なしコピーにおいて優先使用される変倍手段には、相対的に低い値の変倍率上限値が設定される。
【００２１】
さらに前記決定手段は、前記拡大率が優先使用するように割当てられた変倍手段が変倍処理可能な変倍率の上限値を超え、その変倍手段による変倍処理によって前記拡大率の拡大を達成できない場合には、残りの拡大率をより画質性能に優れた他の変倍手段に割り振る。
【００２２】
さらに、前記読取手段によって読取られた画像の画像データを格納する記憶手段と、前記画像データを前記記憶手段に格納する前に符号化を施して圧縮する符号化手段と、前記記憶手段に格納された圧縮画像データを読み出して伸長する復号化手段とを有することが望ましい。
【００２３】
このような構成をもつことにより以下のような拡大率の割り振りを行うことができる。
【００２４】
複写モードがメモリコピーである場合には、前記複数の変倍手段の内、画質性能に優れた変倍手段を優先使用するように前記入力された拡大率を割り振る。
【００２５】
そして、前記符号化手段は、前記優先使用するように割当てられた変倍手段による変倍処理が施された画像データに対して符号化を行う。なお、前記決定手段は、前記拡大率が前記優先使用するように割当てられた変倍手段が変倍処理可能な変倍率の上限値を超え、その変倍手段による変倍処理によって前記拡大率の拡大を達成できない場合には、残りの拡大率をより低い優先度の変倍手段に割り振り、その割り振られた変倍手段が前記復号化手段により復号化された画像データを変倍すると良い。
【００２６】
またさらに、前記記録手段はインクジェット記録ヘッドにより前記記録媒体に記録を行うことが望ましい。
【００２７】
また他の発明によれば、画像原稿を読取る読取手段と前記読取手段によって読取られた画像の画像データに基づいて記録媒体に記録を行う記録手段と前記画像データを変倍する性能の異なる複数の変倍手段であって、少なくとも画質性能に優れた変倍手段と、処理速度性能に優れた変倍手段とを含む複数の変倍手段とを備え、前記画像の複写を行うことが可能な画像記録装置の制御方法であって、少なくとも画質を優先させる複写モードと速度を優先させる複写モードとを含む複写モードと拡大率を入力する入力工程と、前記入力された複写モードと拡大率とに従って、前記複数の変倍手段への拡大率の割り振りを決定する決定工程と、前記決定工程において決定された割り振りに従って、前記複数の変倍手段に順次、変倍処理を行わせることにより、前記入力された拡大率に応じた変倍処理が施された画像データに基づいて前記記録手段に記録を行わせることにより前記画像の複写を行うよう制御する複写制御工程とを有し、前記決定工程は、前記入力された複写モードが画質を優先させる複写モードであった場合、前記入力された拡大率を、前記複数の変倍手段のうち画質性能に優れた変倍手段に優先的に割り振るよう決定し、前記入力された複写モードが速度を優先させる複写モードであった場合、前記入力された拡大率を、前記複数の変倍手段のうち処理速度性能に優れた変倍手段に優先的に割り振るよう決定することを特徴とする画像記録装置の制御方法を備える。
【発明の効果】
【００２８】
従って本発明によれば、入力された複写モードが画質を優先させる複写モードであった場合、入力された拡大率を、複数の変倍手段のうち画質性能に優れた変倍手段に優先的に割り振るよう決定し、入力された複写モードが速度を優先させる複写モードであった場合、入力された拡大率を、複数の変倍手段のうち処理速度性能に優れた変倍手段に優先的に割り振るよう決定する。これにより、入力された画質や速度に関わる複写モードと拡大率に応じた最適な変倍処理を行うことができる。
【００２９】
例えば、画質優先コピーでは画質を重視した変倍処理、速度優先コピーでは処理速度を重視した変倍処理を行うことができる。
【００３０】
さらに、複数の変倍手段各々にはその変倍率上限を超えないように拡大率を設定するため、処理不能な拡大率が設定されることを防ぐことができる。
【発明を実施するための最良の形態】
【００３１】
以下添付図面を参照して本発明の好適な実施例について、さらに具体的かつ詳細に説明する。
【００３２】
なお、この明細書において、「記録」（「プリント」という場合もある）とは、文字、図形等有意の情報を形成する場合のみを表すものではない。これに加えて、有意無意を問わず、また人間が視覚で知覚し得るように顕在化したものであるか否かを問わず、広く記録媒体上に画像、模様、パターン等を形成する、または媒体の加工を行う場合も表すものとする。
【００３３】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００３４】
さらに、「インク」（「液体」と言う場合もある）とは、上記「記録（プリント）」の定義と同様広く解釈されるべきものである。即ち、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００３５】
またさらに、「ノズル」とは、特にことわらない限り吐出口ないしこれに連通する液路およびインク吐出に利用されるエネルギーを発生する素子を総括して言うものとする。
【００３６】
＜画像記録装置の説明（図１〜図２）＞
図１は本発明の代表的な実施例である画像記録装置１００の概観斜視図である。
【００３７】
画像記録装置は、接続されたホスト（不図示）からの画像データに基づいて、記録用紙などの記録媒体に画像を記録する以外に、メモリカードなどに格納された画像データに基づいた記録や画像原稿を読取って複写する記録などを行うことができる。
【００３８】
図１において、（ａ）は原稿カバー１０３が閉じられた状態を示しており、（ｂ）は記録用紙の載置トレー１０１、排紙トレー１０２、及び原稿カバー１０３が開けられた状態を示している。
【００３９】
また、ＣＣＤセンサを備える読取部８は画像原稿を読取り、赤（Ｒ）、緑（Ｇ）および青（Ｂ）色のアナログ輝度信号を出力する。なお、読取部８は、ＣＣＤの代わりに、密着型イメージセンサ（ＣＩＳ）を使用してもよい。カードインタフェース９は、例えば、デジタルスチルカメラ（不図示）で撮影された画像ファイルを記録したメモリカードなどを挿入して、操作部４の所定の操作に従い、そのメモリカードから画像データを読み込むのに使用される。
【００４０】
図２は画像記録装置１００の制御構成を示すブロック図である。
【００４１】
画像記録装置１００は、ＲＯＭ１とＲＡＭ２と不揮発性ＲＡＭ（ＮＶＲＡＭ）３と操作部４と表示部５と記録部６と画像処理部７と読取部８とカードインタフェース９と駆動部１０とセンサ部１１とＣＰＵ２０とを有する。
【００４２】
ＣＰＵ２０は、画像記録装置１００が備える様々な機能を制御し、操作部４における所定の操作に従い、ＲＯＭ１に格納されている種々のプログラムを実行する。ＲＯＭ１はＣＰＵ２０が実行する制御プログラムや画像処理プログラム等を格納している。
【００４３】
画像処理部７では、色空間変換、変倍、量子化等の画像処理が行われ、これらの画像処理によって得られた画像データは、ＲＡＭ２に格納される。ＲＡＭ２に格納された画像データが記録部６で記録するのに必要な所定量に達すると記録部６による記録動作が実行される。
【００４４】
なお、前述の画像処理は、記録用紙サイズ、記録用紙タイプ、変倍印刷の是非、縁なし印刷の是非等の設定に従って、異なる画像データが生成される。
【００４５】
ＮＶＲＡＭ３は、バッテリバックアップされたＳＲＡＭやＦｅＲＡＭなどであり、画像記録装置１００に固有のデータなどを記憶する。操作部４は、メモリに記憶された画像データを選択して記録を開始するために次のようなキーを備えている。即ち、フォトダイレクト印刷開始キー、モノクロ／カラーコピー開始キー、コピー解像度や画質などのモードを指定するモードキー、コピー動作などを停止するための停止キー、コピー枚数を入力するテンキーや登録キーなどである。ＣＰＵ２０は、これらキーの押下状態を検出し、この押下状態に応じて、各部を制御する。
【００４６】
表示部５は、ドットマトリクスタイプのＬＣＤとＬＣＤドライバとを備え、ＣＰＵ２０の制御に基づいて、各種の表示を行う。記録部６は、インクジェット記録ヘッド、汎用ＩＣなどによって構成され、ＣＰＵ２０の制御によって、ＲＡＭ２に格納されている画像データを読み出して画像を記録する。
【００４７】
駆動部１０は、読取部８、記録部６の各部の動作において、給排紙ローラを駆動するためのステッピングモータ、ステッピングモータの駆動力を伝達するギヤと、ステッピングモータとを制御するドライバ回路などによって構成されている。
【００４８】
センサ部１１は、記録紙幅センサ、記録用紙有無センサ、原稿幅センサ、原稿有無センサ、記録媒体検知センサ等によって構成されている。ＣＰＵ２０は、これらセンサから得られた情報に基づいて、原稿と記録用紙との状態を検知する。
【００４９】
図３はＲＯＭ１の内部に記憶されているプログラムの構成を示すブロック図である。
【００５０】
ＲＯＭ１の内部に記憶されているプログラムは、データフロー制御部Ｒ０１と画像領域／サイズ情報決定部Ｒ０２とスキャナエンジン制御部Ｒ０３と読み取り画像処理部Ｒ０４と記録画像処理部Ｒ０５とプリントエンジン制御部Ｒ０６とに分けられる。
【００５１】
さらに、読み取り画像処理部Ｒ０４は、第一変倍処理部Ｒ０８と第一色変換部Ｒ０９と第二変倍処理部Ｒ１０とデータ圧縮部Ｒ１１とに分けられる。また、記録画像処理部Ｒ０５は、第三変倍処理部Ｒ１２と第二色変換部Ｒ１３と量子化処理部Ｒ１４とデータ伸張Ｒ１５とに分けられる。
【００５２】
データフロー制御部Ｒ０１は、操作部４を介してユーザの指示を受信して得られたモード情報に基づき、実行するデータ処理やデータの流れなどを決定する。画像領域／サイズ情報決定部Ｒ０２は、データフロー制御部Ｒ０１から受け取ったモード情報等に基づいて画像原稿の読み取り範囲や記録範囲などを決定する。スキャナエンジン制御部Ｒ０３は、駆動部１０と読取部８を制御して、画像領域／サイズ情報決定部Ｒ０２によって定められた範囲及びサイズの画像データを読み取った後に、ＲＡＭ２を介して読み取り画像処理部Ｒ０４に渡す。なお、これらのプログラムは全て、ＲＯＭ１からＲＡＭ２にローディングされて実行されるので、ＲＯＭ１とＲＡＭ２との間での情報の入出力は発生しない。
【００５３】
読み取り画像処理部Ｒ０４は設定モードに応じて、変倍や色変換等の画像処理を行い、必要に応じて画像データを圧縮し、その圧縮データをＲＡＭ２に保存する。
【００５４】
記録画像処理部Ｒ０５は、ＲＡＭ２を介して受け取った画像データを必要に応じて伸張し、変倍、色変換、量子化といった記録を行うために必要な画像処理を行い、その処理結果をＲＡＭ２に記憶する。
【００５５】
プリントエンジン制御部Ｒ０６は、ＲＡＭ２に記憶された画像データを例えば、記録用紙のような記録媒体上の画像領域／サイズ情報決定部Ｒ０２によって定められた領域に対して、記録を行うよう記録部６及び駆動部１０の制御を行う。
【００５６】
第一、第二、第三変倍処理部Ｒ０８、Ｒ１０、Ｒ１２は、変倍率などのパラメータをセットし、画像データを拡大／縮小する。第一、第二色変換部Ｒ０９、Ｒ１３は、色処理パラメータ等をセットし、マトリクス演算やルックアップテーブル参照等によって色変換処理を行う。データ圧縮部Ｒ１１は画像データをＪＰＥＧ方式に従って圧縮する。データ伸張部Ｒ１２はＪＰＥＧ方式に従って圧縮符号化された画像データを伸張する。量子化処理部Ｒ１４は、誤差拡散等を行って画像データを二値データに量子化する。
【００５７】
また、読み取り画像処理部Ｒ０４や記録画像処理部Ｒ０５に含まれる各画像処理部Ｒ０８〜Ｒ１５は画像処理パラメータの設定と画像処理部７の制御のみを行い、実際の画像処理についてはハードウェアなどで構成された画像処理部７で実行しても良い。
【００５８】
次に以上の構成の画像記録装置を用いた画像原稿の種々のコピー処理についてフローチャートを参照して説明する。以上説明した構成から分かるように、この実施例の装置では第１〜第３変倍処理部という３つの処理部が変倍処理を担当する。
【００５９】
この実施例において、第１変倍処理部Ｒ０８は、読取部８に備えられたＣＣＤセンサのセンサ配列方向（主走査方向）に関しては光学的に、ＣＣＤセンサの移動方向（副走査方向）に関して駆動部１０の駆動解像度を制御することで変倍処理を行う。そのため、画質性能は良いが、駆動部１０等の機械的制御を伴うため処理が低速になる。一方、第２変倍処理部Ｒ１０及び第３変倍処理部Ｒ１２は、ハードウェアなどで構成された画像処理部７において、ニアレストネイバー法やバイリニア法等の演算で補間することで変倍処理を行う。そのため、画質性能は光学的に変倍処理を行う第１変倍処理部Ｒ０８に劣るが、機械的制御等を伴わないため、第１変倍処理部Ｒ０８よりも処理が高速となる。そして、これらの処理部に対して、以下説明する種々のコピー処理に依存する処理条件に従って、変倍率が振り分けられる。
【００６０】
１．画質優先コピーと速度優先コピーにおける変倍率振り分け処理
図４は画像領域／サイズ情報決定部Ｒ１０２の内部処理を示すフローチャートである。
【００６１】
まず、ステップＳ１０１では、記録用紙サイズ／記録領域サイズデータベース（ＤＢ）Ｄ１０５より記録用紙のサイズ、及び記録領域のサイズを取得する。
【００６２】
即ち、ユーザによって操作部４を介して、記録用紙サイズが例えばＡ４であることや、所望の拡大率や、コピーを画質優先或いは速度優先とするかなどの指示が入力される。データフロー制御部Ｒ０１はユーザからの指示情報を受け取り、その情報を解析して、画像領域／サイズ情報決定部Ｒ１０２に動作モードと、記録用紙サイズがＡ４であることを通知する。
【００６３】
画像領域／サイズ情報決定部Ｒ０２は、記録用紙サイズ／記録領域サイズＤＢから指定された記録用紙の縦方向／横方向の画素数と記録領域の縦方向／横方向の画素数を取得し、記録領域を決定する。例えば、記録解像度６００ｄｐｉで記録用紙サイズがＡ４であれば、縦方向画素数は７０１５ピクセル、横方向画素数４９６０ピクセルとなる。
【００６４】
次に、ステップＳ１０２では、モード情報と記録用紙と記録領域の情報に基づいて、画像原稿の読取領域を決定する。
【００６５】
ステップＳ１０３では、動作モード情報と読み取り領域と記録領域の関係やユーザから指示された拡大率から、画像原稿の拡大率を決定する。
【００６６】
ステップＳ１０４では、ステップＳ１０３によって求められた拡大率と、変倍処理部情報データベース（ＤＢ）Ｄ１０６に登録されている各変倍処理部について情報から各変倍処理部に設定する変倍率を決定し、各変倍処理部に対して変倍率を振り分ける。なお、この処理の詳細は表やフローチャートなどを参照して後述する。
【００６７】
図５は変倍処理部情報データベースＤ１０６に設定される変倍処理部情報の一例を表として示した図である。
【００６８】
図５によれば、画質優先モード時は、第１変倍処理部Ｒ０８、第３変倍処理部Ｒ１２、第２変倍処理部Ｒ１０の順に優先的に変倍率が割り振られ、その優先度の高い変倍処理部が優先的に使用される。また、速度優先モード時は、第３変倍処理部Ｒ１２、第１変倍処理部Ｒ０８、第２変倍処理部Ｒ１０の順に優先的に変倍率が割り振られ、その優先度の高い変倍処理部が優先的に使用される。
【００６９】
図６は、ステップＳ１０４の変倍率振り分け処理の詳細を示すフローチャートである。
【００７０】
まず、ステップＳ１００１では、ユーザの入力指示に従ってコピーが画質優先モードで行うか或いは速度優先モードで行うかを判定する。そして、変倍処理部情報データベース（ＤＢ）Ｄ１０６から、そのモードに対応した各変倍処理部の変倍率設定プライオリティを決定する。変倍率設定プライオリティとは、図５を参照して説明したように、どの変倍処理部に優先的に変倍率を割り振るか、つまりどの変倍処理を優先的に使用するかを表す指標である。
【００７１】
次にステップＳ１００２では、変倍率設定プライオリティが一番高い変倍処理部に対して、変倍率上限を超えない変倍率を設定する。その変倍率上限は図５に示された通りである。
【００７２】
さらにステップＳ１００３では、変倍率設定プライオリティが一番高い変倍処理部でユーザによって入力指示された所望の変倍率に変倍できるかどうかを調べる。ここで、変倍可能と判断された場合は、設定処理を終了する。これに対して、所望の変倍率に変倍不可能と判断された場合は、処理はステップＳ１００４に進み、変倍率設定プライオリティが二番目に高い変倍処理部に対して、変倍率の上限を越えない変倍率を設定する。
【００７３】
そして、ステップＳ１００５では、変倍率設定プライオリティが一番高い変倍処理部と変倍率設定プライオリティが二番目に高い変倍処理部との両方を用いて所望の変倍率に変倍できるかどうかを調べる。ここで、変倍可能と判断された場合は設定処理を終了する。これに対して、２つの変倍処理部を用いても所望の変倍率に変倍できないと判断された場合は、処理はステップＳ１００６に進む。
【００７４】
そして、ステップＳ１００６では、変倍率設定プライオリティが三番目に高い変倍処理部に対して、変倍率の上限を超えない変倍率を設定し、その後処理を終了する。なお、図６に図示してはいないが、ステップＳ１００６の処理により３つの変倍処理部を用いてさえも、所望の変倍率を設定できなかった場合、ユーザに対して表示部５などを用いてエラーを通知しても良い。或いは、全ての変倍処理部で変倍可能な変倍率まで変倍するよう設定しても良い。
【００７５】
以上のようにして設定された変倍率に従って、コピー動作が実行される。
【００７６】
図７は、各変倍処理部に設定された変倍率に従った変倍処理を示すフローチャートである。
【００７７】
まず、ステップＳ２００１では、ステップＳ１０４で設定された変倍率に従い第１変倍処理部Ｒ０８で変倍処理を行う。
【００７８】
次に、ステップＳ２００２では、ステップＳ１０４で設定された変倍率に従い第２変倍処理部Ｒ１０で変倍処理を行う。
【００７９】
最後に、ステップＳ２００３では、ステップＳ１０４で設定された変倍率に従い第３変倍処理部Ｒ１２で変倍処理を行い、その後、処理を終了する。
【００８０】
なお、図７に示すフローチャートでは、各変倍処理部の処理が連続して行われるようになっているが、各変倍処理の間には色空間変換、量子化等の画像処理などが含まれることは言うまでもない。
【００８１】
ここまでで、変倍コピーについて説明したが、読み込んだ原稿画像サイズと記録紙上の記録領域のサイズが同一の場合、つまり等倍コピーを行う場合、ステップＳ１０４の変倍率振り分け処理により全ての変倍処理部に設定される変倍率は１００％となる。従って、この実施例では全ての変倍処理部における処理をスキップするように制御している。
【００８２】
図８は等倍コピー時に行われる変倍処理のスキップ処理を示すフローチャートである。
【００８３】
図８において、ステップＳ２００１〜Ｓ２００３は図７で説明したのと同じ処理なのでその説明は省略する。
【００８４】
図８によれば、ステップＳ２０００で、全ての変倍処理部に設定されている変倍率が１００％（等倍）かどうかを調べる。ここで、全ての変倍処理部に設定されている変倍率が１００％であると判断されると、各変倍処理部で実行される変倍処理がスキップされ、処理は終了する。
【００８５】
これに対して、ステップＳ２０００で１００％以外の変倍率が設定されていると判断されると、上述したようなステップＳ２００１〜Ｓ２００３の処理を実行する。
【００８６】
以上説明したように、等倍コピー時は各変倍処理部での処理をスキップすることによってコピー処理の高速化を図っている。
【００８７】
以下、変倍処理部情報データベースＤ１０６に図５に示した情報が設定され、画質優先モードで４００％／１６００％拡大コピー、速度優先モードで４００％／１６００％拡大コピーを行う場合の変倍率振り分け処理の具体例について詳しく説明する。
【００８８】
（１）画質優先、拡大率４００％
図９は、画質優先モードで４００％拡大コピーする場合の、各変倍処理部に設定された変倍率に従って拡大コピーのなされる様子を表す図である。ここでは、“あ”という文字画像の拡大コピーが例示されている。
【００８９】
前述のように、画像領域／サイズ情報決定部Ｒ１０２は、変倍処理部情報データベースＤ１０６から、画質優先モード時の各変倍処理部における変倍率設定プライオリティを決定する。画質優先モード時は、第１変倍処理部Ｒ０８の変倍率設定プライオリティが一番高いため、第１変倍処理部Ｒ０８に対して変倍率上限４００％を超えない変倍率を設定する。この例では、所望の変倍率は４００％なので、第１変倍処理部Ｒ０８の変倍率上限を超えない。従って、第１変倍処理部Ｒ０８に対して変倍率４００％を設定し、拡大コピーを行う。また、第２、第３変倍処理部に対しては夫々、１００％（等倍）の変倍率が設定される。
【００９０】
（２）画質優先、拡大率１６００％
図１０は、画質優先モードで１６００％拡大コピーする場合の、各変倍処理部に設定される変倍率に従って拡大コピーのなされる様子を表す図である。ここでは、“あ”という文字画像の拡大コピーが例示されている。
【００９１】
前述のように、画像領域／サイズ情報決定部Ｒ１０２は、変倍処理部情報データベースＤ１０６から、画質優先モード時の変倍処理部の変倍率設定プライオリティを決定する。画質優先モード時は、第１変倍処理部Ｒ０８の変倍率設定プライオリティが一番高いため、第１変倍処理部Ｒ０８に対して変倍率上限４００％を超えない変倍率を設定する。しかしながら、この場合の所望の変倍率は１６００％なので、第１変倍処理部Ｒ０８の変倍率上限を超える。従って、第１変倍処理部Ｒ０８に対して上限値である変倍率４００％を設定する。
【００９２】
拡大率１６００％を達成するためには、さらに拡大率４００％で拡大する必要があるため、画像領域／サイズ情報決定部Ｒ１０２は、変倍率設定プライオリティが二番目に高い第３変倍処理部Ｒ１２に対して変倍率上限を超えない変倍率を設定する。この場合、目標達成に必要な変倍率は４００％であり、第３変倍処理部Ｒ１２の変倍率上限を超えないため、第３変倍処理部Ｒ１２に対して変倍率４００％を設定し、拡大コピーを行う。また、第２変倍処理部に対しては、１００％（等倍）の変倍率が設定される。
【００９３】
（３）速度優先、拡大率４００％
図１１は、速度優先モードで４００％拡大コピーする場合の、各変倍処理部に設定される変倍率に従って拡大コピーのなされる様子を表す図である。ここでは、“あ”という文字画像の拡大コピーが例示されている。
【００９４】
前述のように、画像領域／サイズ情報決定部Ｒ１０２は、変倍処理部情報データベースＤ１０６から、速度優先モード時の変倍処理部の変倍率設定プライオリティを決定する。速度優先モード時は、第３変倍処理部Ｒ１２の変倍率設定プライオリティが一番高いため、第３変倍処理部Ｒ１２に対して変倍率上限８００％を超えない変倍率を設定する。この例では、所望の変倍率は４００％なので、第３変倍処理部Ｒ１２の変倍率上限を超えない。従って、第３変倍処理部Ｒ１２に対して変倍率４００％を設定し、拡大コピーを行う。また、第１、第２変倍処理部に対しては夫々、１００％（等倍）の変倍率が設定される。
【００９５】
（４）速度優先、拡大率１６００％
図１２は、速度優先モードで１６００％拡大コピーする場合の、各変倍処理部に設定される変倍率に従って拡大コピーのなされる様子を表す図である。ここでは、“あ”という文字画像の拡大コピーが例示されている。
【００９６】
前述のように、画像領域／サイズ情報決定部Ｒ１０２は、変倍処理部情報データベースＤ１０６から、速度優先モード時の変倍処理部の変倍率設定プライオリティを決定する。速度優先モード時は、第３変倍処理部Ｒ１２の変倍率設定プライオリティが一番高いため、第３変倍処理部Ｒ１２に対して変倍率上限を超えない変倍率を設定する。しかしながら、この場合の所望の変倍率は１６００％なので、第３変倍処理部Ｒ１２の変倍率上限を超える。従って、第３変倍処理部Ｒ１２に対して上限値である変倍率８００％を設定する。
【００９７】
拡大率１６００％を達成するためには、さらに拡大率２００％で拡大する必要があるため、画像領域／サイズ情報決定部Ｒ１０２は、変倍率設定プライオリティが二番目に高い第１変倍処理部Ｒ０８に対して変倍率上限を超えない変倍率を設定する。この場合、目標達成に必要な変倍率は２００％であり、これは第１変倍処理部Ｒ０８の変倍率上限を超えないため、第１変倍処理部Ｒ０８に対して変倍率２００％を設定し、拡大コピーを行う。また、第２変倍処理部に対しては、１００％（等倍）の変倍率が設定される。
【００９８】
以上説明した処理に従えば、コピー速度を優先する場合は処理速度を重視した変倍処理を、コピーの画質を優先する場合は画質を重視した変倍処理を行うことができる。
【００９９】
２．縁なしコピーにおける変倍率振り分け処理
図１３は縁なしコピーを説明する図である。
【０１００】
縁なしコピーとは、記録用紙上に縁ができないようにコピーすることである。即ち、このコピーは読取原稿（図１３の（１））を記録用紙サイズよりも大きなサイズに拡大処理を行い、記録する際に記録紙からはみ出した領域、即ち、図１３の（２）の網点で表された領域を切り捨てて記録を行う（図１３の（３））ことで実現される。
【０１０１】
図１４は、変倍処理部情報データベースＤ１０６に設定される変倍処理部情報の一例を表として示した図である。
【０１０２】
図１４によれば、画質優先の縁ありコピーの時は、第１変倍処理部Ｒ０８、第３変倍処理部Ｒ１２、第２変倍処理部Ｒ１０の順に優先的に変倍率が割り振られ、優先度の高い変倍処理部が優先的に使用される。また、速度優先の縁ありコピーの時は、第３変倍処理部Ｒ１２、第１変倍処理部Ｒ０８、第２変倍処理部Ｒ１０の順に優先的に変倍率が割り振られ、優先度の高い変倍処理部が優先的に使用される。一方、縁なしコピー時は、第３変倍処理部Ｒ１２、第１変倍処理部Ｒ０８、第２変倍処理部Ｒ１０の順に優先的に変倍率が割り振られ、優先度の高い変倍処理部が優先的に使用される。
【０１０３】
縁なしコピー時は、先に説明したように、読取原稿のサイズと記録用紙サイズが同じであれば、読取原稿を記録用紙よりも少しでも大きなサイズに拡大すればよいため、変倍率は小さいことが分かっている。従って、たとえ画質的に第１変倍処理部Ｒ０８よりも劣る第３変倍処理部Ｒ１２で変倍処理を行っても変倍率が小さければ画質の差は目立たない。このような理由から、この実施例では、処理速度の点で有利な第３変倍処理部Ｒ１２に優先的に変倍率を割り振ることで、高速な縁なしコピーを実現している。
【０１０４】
しかし、第３変倍処理部Ｒ１２の変倍率がある閾値を越えると、第１変倍処理部Ｒ０８で変倍したときと比較して画質差が目立ってくるため、第３変倍処理部Ｒ１２の変倍率上限をその閾値に設定しておく。その設定閾値は、第３変倍処理部Ｒ１２の縁ありコピー時の変倍率上限よりも小さな値、若しくは同じ値である。この実施例では、その閾値として１０５％が設定される。
【０１０５】
ここで、縁なしコピーで１０５％／２００％拡大コピーを行う場合の変倍率振り分け処理の具体例について詳しく説明する。
【０１０６】
（１）縁なしコピー、拡大率１０５％
図１５は、縁なしコピーで１０５％拡大コピーする場合の、各変倍処理部に設定される変倍率に従って拡大コピーのなされる様子を表す図である。ここでは、“あ”という文字画像の拡大コピーが例示されている。
【０１０７】
前述のように、画像領域／サイズ情報決定部Ｒ１０２は、変倍処理部情報データベースＤ１０６から、縁なしコピー時の変倍処理部の変倍率設定プライオリティを決定する。縁なしコピー時は、第３変倍処理部Ｒ１２の変倍率設定プライオリティが一番高いため、第３変倍処理部Ｒ１２に対して変倍率上限１１０％を超えない変倍率を設定する。この場合、所望の変倍率は１０５％なので、第３変倍処理部Ｒ１２の変倍率上限を超えない。従って、第３変倍処理部Ｒ１２に対して変倍率１０５％を設定し、拡大コピーを行う。また、第１、第２変倍処理部に対しては夫々、１００％（等倍）の変倍率が設定される。
【０１０８】
（２）縁なしコピー、拡大率２００％
図１６は、縁なしコピーで２００％拡大コピーする場合の、各変倍処理部に設定される変倍率に従って拡大コピーのなされる様子を表す図である。ここでは、“あ”という文字画像の拡大コピーが例示されている。
【０１０９】
前述のように、画像領域／サイズ情報決定部Ｒ１０２は、変倍処理部情報データベースＤ１０６から、縁なしコピー時の変倍処理部の変倍率設定プライオリティを決定する。縁なしコピー時は、第３変倍処理部Ｒ１２の変倍率設定プライオリティが一番高いため、第３変倍処理部Ｒ１２に対して変倍率上限を超えない変倍率を設定する。しかしながら、この場合、所望の変倍率は２００％であり、第３変倍処理部Ｒ１２の変倍率上限を超えてしまう。従って、第３変倍処理部Ｒ１２に対しては閾値変倍率１０５％を設定する。
【０１１０】
拡大率２００％を達成するためには、さらに拡大率１９１％で拡大する必要があるため、画像領域／サイズ情報決定部Ｒ１０２は、変倍率設定プライオリティが二番目に高い第１変倍処理部Ｒ０８に対して変倍率上限を超えない変倍率を設定する。この場合、目標達成に必要な変倍率は１９１％であり、この値は、第１変倍処理部Ｒ０８の変倍率上限を超えないため、第１変倍処理部Ｒ０８に対して変倍率１９１％を設定し拡大コピーを行う。また、第２変倍処理部に対しては１００％（等倍）の変倍率が設定される。
【０１１１】
以上説明した処理に従えば、縁なしコピー時は画像の劣化が目立たない変倍率まで処理速度の速い変倍処理部を用いて変倍処理を行うため、高速に縁なしコピーを行うことができる。
【０１１２】
従って以上説明した実施例に従えば、入力指示されたコピーのモードに従って適切な変倍処理を行ってコピーを行うことができる。さらに、各変倍処理部の変倍率上限を超えないように変倍率を設定するため、変倍処理部に変倍不可能な変倍率が設定されて処理不能となる事態を防ぐことができる。
【０１１３】
＜他の実施例＞
ここでは、画像原稿を読取った後、画像データを符号化して圧縮し、その圧縮データを一度、メモリに格納し、記録時にその圧縮データメモリから読出して復号化し、記録媒体にコピーする所謂メモリコピーにおける変倍率振り分け処理について説明する。なお、この実施例では画像データの圧縮と伸長にＪＰＥＧ方式を用いている。しかしながら、ＪＰＥＧ方式以外の符号化方式を用いて圧縮／伸長を行っても良いことは言うまでもない。
【０１１４】
図１７と図１８はメモリコピーの処理を示すフローチャートであり、図１７は画像原稿の読取からメモリへの蓄積までの処理を示し、図１８はメモリからの読出しと記録媒体への記録までの処理を示している。
【０１１５】
まず、図１７に示す処理について説明する。この処理は読取画像処理部Ｒ０４で実行され、画像原稿を読み取って、その読取により生成された画像データをＪＰＥＧ方式に従って符号化し、圧縮画像形式に変換してメモリに蓄積する。
【０１１６】
即ち、ステップＳ３００１で画像原稿を読み取り、次に、ステップＳ３００２で読み取った画像原稿から生成された画像データを所望の変倍率に従って拡大／縮小する。ステップＳ３００３では、その拡大／縮小された画像データをＪＰＥＧ方式に従って符号化し、圧縮形式のデータに変換する。最後にステップＳ３００４では、圧縮されたデータをＲＡＭ等のメモリ上に蓄積する。
【０１１７】
次に、図１８に示す処理について説明する。この処理は記録画像処理部Ｒ０５により実行され、メモリから圧縮画像データを復号化して記録媒体に画像を記録する。
【０１１８】
即ち、ステップＳ４００１ではＲＡＭ等のメモリから蓄積された圧縮データを読出す。次に、ステップＳ４００２ではＪＰＥＧ方式に従って圧縮画像データの復号化する。さらにステップＳ４００３では所望の変倍率に従って、復号化された画像データを拡大／縮小する。最後にステップＳ４００４では、その拡大／縮小した画像データを用いて記録紙などの記録媒体に画像を記録する。
【０１１９】
図１９は変倍処理部情報データベースＤ１０６に設定される変倍処理部情報の一例を表として示した図である。
【０１２０】
図１９によれば、通常コピーであるかメモリコピーであるかに係らず、第１変倍処理部Ｒ０８、第３変倍処理部Ｒ１２、第２変倍処理部Ｒ１０の順に優先的に変倍率が割り振られ、その優先度の高い変倍処理部が優先的に使用される。
【０１２１】
先に説明したように、メモリコピーは読み取った画像から生成される画像データを一度ＪＰＥＧ方式に従って符号化し圧縮画像データを変換しているため、その符号化により画像品質が劣化してしまうことがある。従って、画像品質をできるだけ劣化させないためには、画像データを符号化する前に所望の変倍率に変倍する必要がある。
【０１２２】
このことが考慮されて、この実施例では、第１変倍処理部Ｒ０８に優先的に変倍率が割り振られている。次に、第２変倍処理部Ｒ１０に変倍率を割り振れば画像劣化の少ないコピー結果を得ることが出来るが。一方、前述の通り、メモリコピーはメモリ上に画像データの蓄積を行うため、メモリ資源が限られている装置では、できるだけ蓄積データ量を小さくしなければならない。
【０１２３】
そのため、この実施例では、圧縮伸長された画像データに変倍処理を施しても画質劣化が目立たない、ある閾値までは第３変倍処理部Ｒ１２に変倍率を割り振り、それでも目標変倍率に達しない場合には、残りの変倍率を第２変倍処理部Ｒ１０に割り振っている。このようにして、画像の劣化の少ないメモリコピーを実現している。その設定閾値は、第３変倍処理部Ｒ１２の通常コピー時の変倍率上限よりも小さな値、若しくは同じ値である。
【０１２４】
ここで、メモリコピーで４００％／６００％拡大コピーを行う場合の変倍率振り分け処理の具体例について詳しく説明する。
【０１２５】
（１）メモリコピー、拡大率４００％
図２０は、メモリコピーで４０５％拡大コピーする場合の、各変倍処理部に設定される変倍率に従って拡大コピーのなされる様子を表す図である。ここでは、“あ”という文字画像の拡大コピーが例示されている。
【０１２６】
前述のように、画像領域／サイズ情報決定部Ｒ１０２は、変倍処理部情報データベースＤ１０６から、メモリコピー時の変倍処理部の変倍率設定プライオリティを決定する。メモリコピー時は、第１変倍処理部Ｒ０８の変倍率設定プライオリティが一番高いため、第１変倍処理部Ｒ０８に対して変倍率上限４００％を超えない変倍率を設定する。この場合、所望の変倍率は４００％なので、第１変倍処理部Ｒ０８の変倍率上限を超えない。従って、第１変倍処理部Ｒ０８に対して変倍率４００％を設定し、拡大コピーを行う。また、第２、第３変倍処理部に対しては夫々、１００％（等倍）の変倍率が設定される。
【０１２７】
（２）メモリコピー、拡大率６００％
図２１は、メモリコピーで６００％拡大コピーする場合の、各変倍処理部に設定される変倍率に従って拡大コピーのなされる様子を表す図である。ここでは、“あ”という文字画像の拡大コピーが例示されている。
【０１２８】
前述のように、画像領域／サイズ情報決定部Ｒ１０２は、変倍処理部情報データベースＤ１０６から、メモリコピー時の変倍処理部の変倍率設定プライオリティを決定する。メモリコピー時は、第１変倍処理部Ｒ０８の変倍率設定プライオリティが一番高いため、第１変倍処理部Ｒ０８に対して変倍率上限を超えない変倍率を設定する。しかしながら、この場合、所望の変倍率は６００％であり、第１変倍処理部Ｒ０８の変倍率上限を超えてしまう。従って、第１変倍処理部Ｒ０８に対しては上限変倍率４００％を設定する。
【０１２９】
拡大率６００％を達成するためには、さらに拡大率１５０％で拡大する必要があるため、画像領域／サイズ情報決定部Ｒ１０２は、変倍率設定プライオリティが二番目に高い第３変倍処理部Ｒ１２に対して変倍率上限を超えない変倍率を設定する。この場合、目標達成に必要な変倍率は１５０％であり、この値は、第３変倍処理部Ｒ１２の変倍率上限を超えないため、第３変倍処理部Ｒ１２に対して変倍率１５０％を設定し拡大コピーを行う。また、第２変倍処理部に対しては１００％（等倍）の変倍率が設定される。
【０１３０】
従って以上説明した実施例に従えば、メモリコピー時は画像データの圧縮前にできるだけ変倍処理を行うため、画像の劣化の少ないメモリコピーを行うことができる。さらに、圧縮データサイズが小さくなるように変倍処理を行うため、蓄積可能な圧縮画像データ量を増やすことができる。このことはメモリコピーによる読取可能原稿枚数を増やすことになる。
【０１３１】
さらにこの実施例でも、各変倍処理部の変倍率上限を超えないように変倍率を設定するため、変倍処理部に変倍不可能な変倍率が設定されて処理不能となる事態を防ぐことができる。
【図面の簡単な説明】
【０１３２】
【図１】本発明の代表的な実施例である画像記録装置１００の概観斜視図である。
【図２】画像記録装置１００の制御構成を示すブロック図である。
【図３】ＲＯＭ１の内部に記憶されているプログラムの構成を示すブロック図である。
【図４】画像情報／サイズ情報決定部Ｒ０２における処理の詳細に示すフローチャートである。
【図５】変倍処理部情報データベースＤ１０６に設定される変倍処理部情報の一例を表として示した図である。
【図６】ステップＳ１０４の変倍率振り分け処理の詳細を示すフローチャートである。
【図７】各変倍処理部に設定された変倍率に従う変倍処理を示すフローチャートである。
【図８】等倍コピー時に行われる変倍処理のスキップ処理を示すフローチャートである。
【図９】画質優先モードで４００％拡大コピーする場合の各変倍処理部に設定された変倍率に従って拡大コピーのなされる様子を表す図である。
【図１０】画質優先モードで１６００％拡大コピーする場合の各変倍処理部に設定される変倍率に従って拡大コピーのなされる様子を表す図である。
【図１１】速度優先モードで４００％拡大コピーする場合の各変倍処理部に設定される変倍率に従って拡大コピーのなされる様子を表す図である。
【図１２】速度優先モードで１６００％拡大コピーする場合の、各変倍処理部に設定される変倍率に従って拡大コピーのなされる様子を表す図である。
【図１３】縁なしコピーを説明する図である。
【図１４】変倍処理部情報データベースＤ１０６に設定される変倍処理部情報の一例を表として示した図である。
【図１５】縁なしコピーで１０５％拡大コピーする場合の各変倍処理部に設定される変倍率に従って拡大コピーのなされる様子を表す図である。
【図１６】縁なしコピーで２００％拡大コピーする場合の各変倍処理部に設定される変倍率に従って拡大コピーのなされる様子を表す図である。
【図１７】、
【図１８】メモリコピーの処理を示すフローチャートである。
【図１９】変倍処理部情報データベースＤ１０６に設定される変倍処理部情報の一例を表として示した図である。
【図２０】メモリコピーで４０５％拡大コピーする場合の各変倍処理部に設定される変倍率に従って拡大コピーのなされる様子を表す図である。
【図２１】メモリコピーで６００％拡大コピーする場合の各変倍処理部に設定される変倍率に従って拡大コピーのなされる様子を表す図である。
【符号の説明】
【０１３３】
１  ＲＯＭ
２  ＲＡＭ
３  不揮発性ＲＡＭ（ＮＶＲＡＭ）
４  操作部
５  表示部
６  記録部
７  画像処理部
８  読取部
９  カードインタフェース
１０  駆動部
１１  センサ部
２０  ＣＰＵ
１００  画像記録装置
１０１  載置トレー
１０２  排紙トレー
１０３  原稿カバー
【図１】
0004612877.tif 000002
【図２】
0004612877.tif 000003
【図３】
0004612877.tif 000004
【図４】
0004612877.tif 000005
【図５】
0004612877.tif 000006
【図６】
0004612877.tif 000007
【図７】
0004612877.tif 000008
【図８】
0004612877.tif 000009
【図９】
0004612877.tif 000010
【図１０】
0004612877.tif 000011
【図１１】
0004612877.tif 000012
【図１２】
0004612877.tif 000013
【図１３】
0004612877.tif 000014
【図１４】
0004612877.tif 000015
【図１５】
0004612877.tif 000016
【図１６】
0004612877.tif 000017
【図１７】
0004612877.tif 000018
【図１８】
0004612877.tif 000019
【図１９】
0004612877.tif 000020
【図２０】
0004612877.tif 000021
【図２１】
0004612877.tif 000022